(57)【要約】【課題】ＳＩＭカードの不正な抜き取りを防止する。【解決手段】スマートフォン１００には、ＳＩＭトレイ１０１に載った状態のＳＩＭカード１０２が収容され、ＳＩＭトレイ１０１の側面１０１ａに形成された抜き穴１０１ｂにピン状体１０３を押し込むことでＳＩＭトレイ１０１が突出する。ＳＩＭ抜き取り防止具１は、抜き穴１０１ｂに対して雌ネジを形成しながら螺合するタップ部２と、タップ部２の一端部に設けられ、星型を含む特殊形状溝３ａを有する頭部３と、を備える。特殊形状溝３ａに適合する特殊形状のドライバーを頭部３の特殊形状溝３ａに嵌合させて、タップ部２を抜き穴１０１ｂにねじ込むことで、ＳＩＭ抜き取り防止具１を抜き穴１０１ｂに取り付ける。【選択図】  図１
2019114832.tif 000002
【特許請求の範囲】
【請求項１】
ＳＩＭトレイに載った状態のＳＩＭカードを収容し、前記ＳＩＭトレイの側面に形成された抜き穴にピン状体を押し込むことで前記ＳＩＭトレイが突出する通信端末から、前記ＳＩＭカードが不正に抜き取られるのを防止するためのＳＩＭ抜き取り防止具であって、
前記抜き穴に対して雌ネジを形成しながら螺合するタップ部と、
前記タップ部の一端部に設けられ、星型を含む特殊形状溝を有する頭部と、
を備える、ことを特徴とするＳＩＭ抜き取り防止具。
【請求項２】
ＳＩＭトレイに載った状態のＳＩＭカードを収容し、前記ＳＩＭトレイの側面に形成された抜き穴にピン状体を押し込むことで前記ＳＩＭトレイが突出する通信端末から、前記ＳＩＭカードが不正に抜き取られるのを防止するためのＳＩＭ抜き取り防止方法であって、
前記抜き穴に対して雌ネジを形成しながら螺合するタップ部と、前記タップ部の一端部に設けられ、星型を含む特殊形状溝を有する頭部と、を備えるＳＩＭ抜き取り防止具を、前記特殊形状溝に適合する特殊形状のドライバーを前記頭部の特殊形状溝に嵌合させて、前記タップ部を前記抜き穴にねじ込むことで前記抜き穴に取り付ける、ことを特徴とするＳＩＭ抜き取り防止方法。
【発明の詳細な説明】
【技術分野】
【０００１】
本発明は、通信端末のＳＩＭ（Ｓｕｂｓｃｒｉｂｅｒ  Ｉｄｅｎｔｉｔｙ  Ｍｏｄｕｌｅ）カードの不正な抜き取りを防止するための、ＳＩＭ抜き取り防止具および防止方法に関する。
【背景技術】
【０００２】
移動体通信事業者のショップなどには、スマートフォン（多機能携帯端末）を含む携帯端末（通信端末）が展示され、来場者が携帯端末を自由に触ったり操作したりできるようになっている。しかしながら、展示している携帯端末が盗難に遭う、という被害が後を絶たない。このため、携帯端末が所定の移動方法で移動しているか否かを判定し、所定の移動方法で移動している場合には、携帯端末の位置データと盗難の可能性を通知するシステム（例えば、特許文献１）が知られている。
【先行技術文献】
【特許文献】
【０００３】
【特許文献１】特開２０１５−０７０４４４号公報
【発明の概要】
【発明が解決しようとする課題】
【０００４】
ところで、近年では、携帯端末自体の盗難に加えて、携帯端末のＳＩＭカードを盗み取る行為が増加しており、このようなＳＩＭカードの盗難を特許文献１に記載のシステムでは防ぐことができない。
【０００５】
そこでこの発明は、ＳＩＭカードの不正な抜き取りを防止可能なＳＩＭ抜き取り防止具および防止方法を提供することを目的とする。
【課題を解決するための手段】
【０００６】
上記目的を達成するために請求項１に記載の発明は、ＳＩＭトレイに載った状態のＳＩＭカードを収容し、前記ＳＩＭトレイの側面に形成された抜き穴にピン状体を押し込むことで前記ＳＩＭトレイが突出する通信端末から、前記ＳＩＭカードが不正に抜き取られるのを防止するためのＳＩＭ抜き取り防止具であって、前記抜き穴に対して雌ネジを形成しながら螺合するタップ部と、前記タップ部の一端部に設けられ、星型を含む特殊形状溝を有する頭部と、を備える、ことを特徴とする。
【０００７】
この発明によれば、特殊形状溝に適合する特殊形状のドライバーを頭部の特殊形状溝に嵌合させて、タップ部を抜き穴にねじ込むことで、ＳＩＭ抜き取り防止具を抜き穴に取り付ける。
【０００８】
請求項２に記載の発明は、ＳＩＭトレイに載った状態のＳＩＭカードを収容し、前記ＳＩＭトレイの側面に形成された抜き穴にピン状体を押し込むことで前記ＳＩＭトレイが突出する通信端末から、前記ＳＩＭカードが不正に抜き取られるのを防止するためのＳＩＭ抜き取り防止方法であって、前記抜き穴に対して雌ネジを形成しながら螺合するタップ部と、前記タップ部の一端部に設けられ、星型を含む特殊形状溝を有する頭部と、を備えるＳＩＭ抜き取り防止具を、前記特殊形状溝に適合する特殊形状のドライバーを前記頭部の特殊形状溝に嵌合させて、前記タップ部を前記抜き穴にねじ込むことで前記抜き穴に取り付ける、ことを特徴とする。
【発明の効果】
【０００９】
請求項１、２に記載の発明によれば、ＳＩＭ抜き取り防止具をＳＩＭトレイの抜き穴に取り付けて抜き穴を塞ぐため、ピン状体を抜き穴に押し込んで不正にＳＩＭカードを抜き取るのを防止することができる。しかも、ＳＩＭ抜き取り防止具が特殊形状溝を有する頭部を備え、特殊形状のドライバーでなければＳＩＭ抜き取り防止具を抜き取ることができないため、不正なＳＩＭカードの抜き取りをより効果的に防止することができる。
【００１０】
また、ＳＩＭ抜き取り防止具は、タップ部と頭部のみを備える簡易な構成なため、安価に製作することができる。さらに、タップ部を抜き穴にねじ込むだけでよいため、容易かつ迅速にＳＩＭ抜き取り防止具を取り付けることができる。
【図面の簡単な説明】
【００１１】
【図１】この発明の実施の形態に係るＳＩＭ抜き取り防止具を示す正面図（ａ）とその右側面図（ｂ）である。
【図２】この発明の実施の形態におけるスマートフォンの側面を示す図であり、（ａ）は、図１のＳＩＭ抜き取り防止具を取り付ける前の状態を示し、（ｂ）は、図１のＳＩＭ抜き取り防止具を取り付けた後の状態を示す。
【図３】この発明の実施の形態におけるスマートフォンを示す平面図である。
【発明を実施するための形態】
【００１２】
以下、この発明を図示の実施の形態に基づいて説明する。
【００１３】
図１〜図３は、この発明の実施の形態を示し、図１は、この実施の形態に係るＳＩＭ抜き取り防止具１を示す正面図（ａ）とその右側面図（ｂ）である。このＳＩＭ抜き取り防止具１は、スマートフォン（通信端末）１００のＳＩＭカード１０２の不正な抜き取りを防止するための防止具であり、金属製で、全体がタッピングネジのような構成となっており、タップ部２と頭部３とを備える。
【００１４】
ここで、スマートフォン１００は、図２および図３に示すように、ＳＩＭトレイ１０１に載った状態のＳＩＭカード１０２を側面１００ａから収容する。そして、ＳＩＭトレイ１０１の側面１０１ａに形成された抜き穴１０１ｂに針金クリップ１０３などのピン状体を押し込むことで、ＳＩＭトレイ１０１が突出してＳＩＭカード１０２を取り出せるようになっている。
【００１５】
タップ部２は、抜き穴１０１ｂに対して雌ネジを形成しながら螺合するタッピング部である。すなわち、抜き穴１０１ｂに対して予めタップ立てをしないで直接螺合できるネジ部であり、抜き穴１０１ｂを下穴として、この下穴に雌ネジを形成しながら螺合して締め付けられるようになっている。また、ＳＩＭトレイ１０１の側面１０１ａと頭部３の自由端面が面一になるまで締め付けられるように、タップ部２の長さが設定されている。
【００１６】
頭部３は、タップ部３の一端部（抜き穴１０１ｂに挿入されない側の端部）に設けられ、特殊形状溝３ａを有するネジ頭部である。具体的に、この実施の形態では、円錐台状の皿頭部で、その自由端面に窪んだ特殊形状溝３ａが形成されている。この特殊形状溝３ａは、一般的な「＋」溝や「−」溝あるいは六角溝などとは異なり、星型や五角形、四角形などの特殊な平面形状となっている。このため、プラスドライバやマイナスドライバ、六角レンチなどの一般工具ではＳＩＭ抜き取り防止具１を回すことができず、特殊形状溝３ａに適合した（嵌合する）形状を有する特殊形状のドライバー・工具しか回せないようになっている。
【００１７】
次に、このようなＳＩＭ抜き取り防止具１を用いたＳＩＭ抜き取り防止方法について説明すると、特殊形状溝３ａに適合する特殊形状のドライバーを頭部３の特殊形状溝３ａに嵌合させて、タップ部２を抜き穴１０１ｂにねじ込むことで、ＳＩＭ抜き取り防止具１を抜き穴１０１ｂに取り付ければよい。これにより、図２（ａ）に示すように、抜き穴１０１ｂがＳＩＭ抜き取り防止具１で塞がれ、また、ＳＩＭトレイ１０１の側面１０１ａからＳＩＭ抜き取り防止具１の頭部３が突出しない。
【００１８】
このように、このＳＩＭ抜き取り防止具１およびＳＩＭ抜き取り防止方法によれば、ＳＩＭ抜き取り防止具１をＳＩＭトレイ１０１の抜き穴１０１ｂに取り付けて、抜き穴１０１ｂを塞ぐ。このため、ショップなどにおいて針金クリップ１０３などを抜き穴１０１ｂに押し込んで、不正にＳＩＭカード１０２を抜き取るのを防止することができる。しかも、ＳＩＭ抜き取り防止具１が特殊形状溝３ａを有する頭部３を備え、特殊形状のドライバーでなければＳＩＭ抜き取り防止具１を抜き取ることができないため、不正なＳＩＭカード１０２の抜き取りをより効果的に防止することができる。
【００１９】
また、ＳＩＭ抜き取り防止具１は、タップ部２と頭部３のみを備える簡易な構成なため、安価に製作することができる。さらに、タップ部２を抜き穴１０１ｂにねじ込むだけでよいため、容易かつ迅速にＳＩＭ抜き取り防止具１を取り付けることができる。
【００２０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、通信端末がスマートフォン１００の場合について説明したが、その他の通信端末であってもよい。また、特殊形状溝３ａは、小さい「＋」溝などであってもよい。すなわち、一般的なプラスドライバなどでは回すことができなければ、どのような形状であってもよい。
【符号の説明】
【００２１】
１        ＳＩＭ抜き取り防止具
２        タップ部
３        頭部
３ａ      特殊形状溝
１００    スマートフォン（通信端末）
１００ａ  側面
１０１    ＳＩＭトレイ
１０１ａ  側面
１０１ｂ  抜き穴
１０２    ＳＩＭカード
１０３    針金クリップ（ピン状体）
【図１】
2019114832.tif 000003
【図２】
2019114832.tif 000004
【図３】
2019114832.tif 000005